(57)【特許請求の範囲】
【請求項１】
デュアルモードＷｉ−Ｆｉ−ＤＥＣＴ無線端末に関連する無線アクセス・ポイントを変更する方法であって、Ｗｉ−Ｆｉ−ＤＥＣＴワイヤレス通信ネットワーク内に、ローカル・エリア・ネットワークに接続されたデュアルモードＷｉ−Ｆｉ−ＤＥＣＴ無線端末（ＰＰ）およびデュアルモードＷｉ−Ｆｉ−ＤＥＣＴ無線アクセス・ポイント（ＡＰ）を含み、第１のＷｉ−Ｆｉモード・リンク（ＷＬ１）および第１のＤＥＣＴモード・リンク（ＤＬ１）が、そのデュアルモードＷｉ−Ｆｉ−ＤＥＣＴ無線端末と第１のデュアルモードＷｉ−Ｆｉ−ＤＥＣＴ無線アクセス・ポイント（ＡＰ１）との間に確立されたときに、デュアルモードＷｉ−Ｆｉ−ＤＥＣＴ無線端末に関連するデュアルモード無線アクセス・ポイントを変更するために：
−その第１のデュアルモードＷｉ−Ｆｉ−ＤＥＣＴアクセス・ポイント（ＡＰ１）のＤＥＣＴ部分を第２のデュアルモードＷｉ−Ｆｉ−ＤＥＣＴアクセス・ポイント（ＡＰ２）のＤＥＣＴ部分に切り換えるために、該第２のデュアルモードＷｉ−Ｆｉ−ＤＥＣＴアクセス・ポイント（ＡＰ２）が、第１のＤＥＣＴモード・リンク（ＤＬ１）に対してそのデュアルモードＷｉ−Ｆｉ−ＤＥＣＴ無線端末に関連する無線アクセス・ポイントの変更を決定および実行するために既知の方法を適用するステップと、
−その第１のデュアルモードＷｉ−Ｆｉ−ＤＥＣＴアクセス・ポイント（ＡＰ１）から、その第２のデュアルモードＷｉ−Ｆｉ−ＤＥＣＴアクセス・ポイント（ＡＰ２）に、前記第１のＤＥＣＴモード・リンク（ＤＬ１）に対してそのデュアルモードＷｉ−Ｆｉ−ＤＥＣＴ無線端末に関連する無線アクセス・ポイントを変更することを決定したときに、前記第２のデュアルモードＷｉ−Ｆｉ−ＤＥＣＴアクセス・ポイント（ＡＰ２）が、その第１のデュアルモードＷｉ−Ｆｉ−ＤＥＣＴアクセス・ポイント（ＡＰ１）のＷｉ−Ｆｉ部分からその第２のデュアルモードＷｉ−Ｆｉ−ＤＥＣＴアクセス・ポイント（ＡＰ２）のＷｉ−Ｆｉ部分に、前記第１のＷｉ−Ｆｉモード・リンク（ＷＬ１）を転送するステップと
を含み、
その第１のデュアルモードＷｉ−Ｆｉ−ＤＥＣＴアクセス・ポイントから、その第２のデュアルモードＷｉ−Ｆｉ−ＤＥＣＴアクセス・ポイントに前記第１のＷｉ−Ｆｉモード・リンクを転送するために、
−固定された回線のネットワークで確立された、前記第１のデュアルモードＷｉ−Ｆｉ−ＤＥＣＴアクセス・ポイントと別のリモート電話端末（Ｔ）との間に接続された電話通信のための電話リンク（ＬＴ）、及び、該第１のデュアルモードＷｉ−Ｆｉ−ＤＥＣＴアクセス・ポイントとデータ通信の対象となるサーバとの間に接続されたデータ送信リンク（ＬＡ）、の２つのリンクを維持するステップと、
−前記固定された回線のネットワークにおいて前記第１のデュアルモードＷｉ−Ｆｉ−ＤＥＣＴアクセス・ポイントと前記第２のデュアルモードＷｉ−Ｆｉ−ＤＥＣＴアクセス・ポイントとの間に２つの新しいリンクをそれぞれ確立することによって、これらの２つのリンクを中継するステップと、
を含む、方法。
【請求項２】
そのＷｉ−Ｆｉリンクが中断された場合に、Ｗｉ−Ｆｉデータ送信リンクを再び確立できるまで、Ｗｉ−Ｆｉデータ送信リンクをＤＥＣＴデータ送信リンクに置き換えるステップをさらに含む請求項１に記載の方法。
【請求項３】
Ｗｉ−Ｆｉ−ＤＥＣＴワイヤレス通信ネットワークのデュアルモードＷｉ−Ｆｉ−ＤＥＣＴアクセス・ポイント（ＡＰ１）であって、デュアルモードＷｉ−Ｆｉ−ＤＥＣＴ無線端末（ＰＰ）およびデュアルモードＷｉ−Ｆｉ−ＤＥＣＴ無線アクセス・ポイント（ＡＰ１、ＡＰ２）を含み：
−デュアルモードＷｉ−Ｆｉ−ＤＥＣＴ無線モバイル端末（ＰＰ）との第１のＤＥＣＴモード・リンク（ＤＬ１）および第１のＷｉ−Ｆｉモード・リンク（ＷＬ１）を同時に確立するためのＤＥＣＴ部分およびＷｉ−Ｆｉ部分と、−前記デュアルモードＷｉ−Ｆｉ−ＤＥＣＴアクセス・ポイント（ＡＰ１）のＤＥＣＴ部分から、第２のデュアルモードＷｉ−Ｆｉ−ＤＥＣＴアクセス・ポイント（ＡＰ２）のＤＥＣＴ部分に切り換えるために、第１のＤＥＣＴモード・リンク（ＤＬ１）について、デュアルモードＷｉ−Ｆｉ−ＤＥＣＴ無線端末に関連する無線アクセス・ポイントを変更するために既知の方法を適用する制御モジュールと、
−前記デュアルモードＷｉ−Ｆｉ−ＤＥＣＴアクセス・ポイント（ＡＰ１）から、その第２のデュアルモードＷｉ−Ｆｉ−ＤＥＣＴアクセス・ポイント（ＡＰ２）に前記第１のＤＥＣＴモード・リンクを転送すると決定したときに、前記デュアルモードＷｉ−Ｆｉ−ＤＥＣＴアクセス・ポイント（ＡＰ１）のＷｉ−Ｆｉ部分から、前記第２のデュアルモードＷｉ−Ｆｉ−ＤＥＣＴアクセス・ポイント（ＡＰ２）のＷｉ−Ｆｉ部分に、前記第１のＷｉ−Ｆｉモード・リンク（ＷＬ１）を転送する制御モジュールと
を含み、
その第１のデュアルモードＷｉ−Ｆｉ−ＤＥＣＴアクセス・ポイントから、第２のデュアルモードＷｉ−Ｆｉ−ＤＥＣＴアクセス・ポイントに前記第１のＷｉ−Ｆｉモード・リンクを転送するための制御モジュールが、
−固定された回線のネットワークで確立された、前記第１のデュアルモードＷｉ−Ｆｉ−ＤＥＣＴアクセス・ポイントと別のリモート電話端末（Ｔ）との間に接続された電話通信のための電話リンク（ＬＴ）、及び、該第１のデュアルモードＷｉ−Ｆｉ−ＤＥＣＴアクセス・ポイントとデータ通信の対象となるサーバとの間に接続されたデータ送信リンク（ＬＡ）、の２つのリンクを維持し、
−前記固定された回線のネットワークにおいて前記第１のデュアルモードＷｉ−Ｆｉ−ＤＥＣＴアクセス・ポイントと前記第２のデュアルモードＷｉ−Ｆｉ−ＤＥＣＴアクセス・ポイントとの間に２つの新しいリンクをそれぞれ確立することによって、これらの２つのリンクを中継する、
ためのトレーニング・モジュールを含む、
デュアルモードＷｉ−Ｆｉ−ＤＥＣＴアクセス・ポイント（ＡＰ１）。
【請求項４】
そのＷｉ−Ｆｉリンクが中断された場合に、Ｗｉ−Ｆｉデータ送信リンクを再び確立できるまで、Ｗｉ−Ｆｉデータ送信リンクをＤＥＣＴデータ送信リンクに置き換えるための制御モジュールをさらに含む請求項３に記載のデュアルモードＷｉ−Ｆｉ−ＤＥＣＴアクセス・ポイント。
【発明の詳細な説明】
【技術分野】
【０００１】
本発明は、Ｗｉ−Ｆｉ−ＤＥＣＴワイヤレス通信ネットワークにおいて、端末に関連する無線アクセス・ポイントを変更する方法に関する。本発明は、より具体的にはデュアルモードＷｉ−Ｆｉ−ＤＥＣＴにワイヤレス端末に関する（Ｗｉ−ＦｉタイプはＩＥＥＥ８０２．１１標準に対応し、ＤＥＣＴタイプはＥＴＳ３００  １７５標準に対応する）。デュアルモードＷｉ−Ｆｉ−ＤＥＣＴ端末では、ＤＥＣＴモードまたはＷｉ−Ｆｉモードでの通話が可能であるが、最善の通話品質が供給されるためＤＥＣＴモードが好ましい。デュアルモードＷｉ−Ｆｉ−ＤＥＣＴ端末は、ＤＥＣＴモードまたはＷｉ−Ｆｉモードでのデータ送信をさらに可能にするが、より大きな帯域幅が供給されるためＷｉ−Ｆｉモードが好ましい。
【背景技術】
【０００２】
大きな領域がデュアルモードＷｉ−Ｆｉ−ＤＥＣＴネットワークによってサービスを提供される場合、その領域は複数のセルから構成され、各セルは、設置をより簡単にするために同じハウジングに優先的に組み込まれるＷｉ−Ｆｉ無線アクセス・ポイントおよびＤＥＣＴ無線アクセス・ポイントによってサービスを提供される。ワイヤレス端末はモバイルであり、結果的に、その通話を中断することなく、通話の間にＷｉ−Ｆｉ−ＤＥＣＴ無線アクセス・ポイントを変更することが必要な場合がある。同様に、端末が通話状態にない場合、後の電話通信および／またはデータ送信を考慮して、最善の無線リンク品質を供給するアクセス・ポイントに常に関連するように、その端末が関連するＷｉ−Ｆｉ−ＤＥＣＴ無線アクセス・ポイントを変更することが必要な場合がある。
【０００３】
米国特許出願公開第２００８／０２５０１４２号には、ネットワークによって提供されるパラメータによって規定された基準を満たすために、複数のアクセス・ポイントの中から選択することによって無線アクセス・ポイントを変更し、無線アクセス・ポイントが複数の無線送信技術をサポートする場合、場合によっては無線送信技術を変更するための方法について記述されている。ネットワークおよび端末は、無線送信技術のそれぞれについて、無線アクセス・ポイント変更を決定および実行するための手段を含むリソース管理手段を持つ。
【０００４】
米国特許出願第２０１０／２７９６８９号には、そのポイントが２つの無線送信技術をサポートする場合、無線アクセス・ポイントの変更、次に新しいアクセス・ポイントでの無線送信技術の変更を組み合わせる既知の方法が記述されている。たとえば、それにより、端末がＧＳＭ−ＬＴＥデュアルモード・フェムト基地局に近づくと、ＧＳＭマクロ・セルを介して行われた通話をＬＴＥフェムトセルに転送することが可能になる。ＧＳＭマクロ・セルに接続している端末は、ＧＳＭ−ＬＴＥデュアルモード・フェムト基地局によって送信されたＧＳＭパイロット信号を検出する。次に、それは、そのＧＳＭ−ＬＴＥデュアルモード・フェムト基地局に通信を転送することを決定する。次に、それはＧＳＭモードからＬＴＥモードに切り換えることを決定する。ネットワークおよび端末は、無線送信技術、ＧＳＭおよびＬＴＥのそれぞれについて、無線アクセス・ポイントの変更を決定および実行するための手段を含むリソース管理手段を持つ。
【０００５】
以下において、「通信状態にない（ｎｏｔ  ｉｎ  ｃｏｍｍｕｎｉｃａｔｉｏｎ）」は、データ・パケットを送信および受信していないＷｉ−Ｆｉ送受信装置の状態を呼ぶ（このデータは電話信号の場合がある）。それは引き続き、データ・パケットを受信している搬送周波数をリッスンしている。データ・パケットを送信する必要がある場合、それは送信しなければならない搬送周波数をリッスンし、自由に使えると分かった場合のみ送信する。Ｗｉ−Ｆｉ−ＤＥＣＴ端末のＷｉ−Ｆｉ部分が通信状態にない場合、それでも無線アクセス・ポイントを変更する方法は、新しいＷｉ−Ｆｉ−ＤＥＣＴアクセス・ポイントにそのＷｉ−Ｆｉ部分を関連させることを可能にする必要がある。しかし、その端末のＷｉ−Ｆｉ部分が通信状態にある場合、その方法は、モバイル端末が、第１の無線アクセス・ポイントの対象となる領域から第２の無線アクセス・ポイントの対象となる領域に移動したときに（これらの２つの領域は部分的に重複している）、その通信を中断されないように維持するために、その通信によって使用される送信手段の切り換えをさらに可能にする必要がある。
【０００６】
以下において、「通信状態にない」は、通話していないＤＥＣＴ送受信装置の状態を表す。それは引き続き、基地局によって送信された信号と同期される。通信状態にある場合、それは基地局によって送信されるキャリアの時間間隔を占める。Ｗｉ−Ｆｉ−ＤＥＣＴ端末のＤＥＣＴ部分が通信状態にない場合、それでも無線アクセス・ポイントを変更するための方法は、新しいＷｉ−Ｆｉ−ＤＥＣＴアクセス・ポイントに、そのＤＥＣＴ部分を関連させることを可能にする必要がある。しかし、その端末のＤＥＣＴ部分が通信状態にある場合、その方法は、モバイル端末が、第１の無線アクセス・ポイントの対象となる領域から第２の無線アクセス・ポイントの対象となる領域に移動したときに（これらの２つの領域は部分的に重複している）、その通信を中断されないように維持するために、その通信によって使用される送信手段の切り換えをさらに可能にする必要がある。
【０００７】
端末が関連する無線アクセス・ポイントは、端末のＷｉ−Ｆｉ部分の状態（通信状態にない、または通信状態にある）のＤＥＣＴ部分の状態（通信状態にない、または通信状態にある）に関係なく、変更可能である必要がある。端末が通信状態にない場合、これはローミングと呼ばれる。端末が通信状態にある場合、これはハンドオーバと呼ばれる。
【０００８】
ＤＥＣＴネットワークでは、１つまたは複数の「ロケーション・エリア」が規定される。各ＤＥＣＴロケーション・エリアは、１つまたは複数のセルを含むことができる。つまり、１つまたは複数の無線アクセス・ポイントによってサービスを提供することができる。企業ネットワークでは、たとえば、複数のＤＥＣＴ無線アクセス・ポイントによって対象にされるロケーション・エリアが１つしかない場合がある。しかし、また、１つまたは複数のＤＥＣＴ無線アクセス・ポイントによってそれぞれ対象にされる複数のロケーション・エリアがある場合がある。
【０００９】
通信状態にないとき、または通信状態にあるときに、ＤＥＣＴ端末が移動したときに、ＤＥＣＴ端末がＤＥＣＴ無線アクセス・ポイントを変更することを可能にする方法が知られている。この方法は、以下の標準によって記述されている。
ＥＴＳＩ  ＥＮ３００、１７５−３パート３
ＥＴＳＩ  ＥＮ３００、１７５−４パート４
ＥＴＳＩ  ＥＮ３００、１７５−５パート５
既知の方法によると、ＤＥＣＴ端末が通話状態にない場合、アクセス・ポイントの１つと一時的に同期する。ＤＥＣＴ端末が移動して、そのロケーション・エリアの一部でない新しいＤＥＣＴ無線アクセス・ポイントの方が無線リンクが良好であること、およびその同期アクセス・ポイントから遠くに移動しすぎたために、時間同期を失うかもしれないことを検出した場合、ネットワークに対して「ロケーション要求」を行う。この要求により、新しいロケーション・エリアにそれを関連させることが可能になる。
【００１０】
通信確立要求が到着すると、端末が位置するロケーション・エリアにおいてＤＥＣＴ無線アクセス・ポイントのすべてが警告を受け、それらはすべての端末にシグナリング・メッセージを送信する。受信端末は、その正確な場所、つまりそれが関連しているアクセス・ポイントを示すことによって応答する。次に、その端末を対象とする信号を受信するためにネットワークに知られているＤＥＣＴ無線アクセス・ポイントは、その端末を対象とする信号をそれが現在関連する無線アクセス・ポイントに中継する。
【００１１】
通信状態にない間に、またはデータ通信（または電話通信）の間に、Ｗｉ−Ｆｉ端末がＷｉ−Ｆｉ無線アクセス・ポイントを変更することを可能にする方法が知られている。Ｗｉ−Ｆｉ−ＤＥＣＴワイヤレス通信ネットワークにおいてＷｉ−Ｆｉ−ＤＥＣＴ端末の移動性を管理するために、最も早い解決策は、（通信状態または通信状態でない）端末のＤＥＣＴ部分についてＤＥＣＴ無線アクセス・ポイントを変更することを可能にする既知の方法、および（通信状態または通信状態でない）端末のＷｉ−Ｆｉ部分についてＷｉ−Ｆｉ無線アクセス・ポイントを変更することを可能にする既知の方法を同時に使用することから成る。しかし、Ｗｉ−Ｆｉネットワークの既知のデータ通信転送方法は、ハードウェアに関してかなり高価であるため、この解決策は高価である。
１）第１の既知の方法は、Ｗｉ−Ｆｉネットワークのすべてのアクセス・ポイント間のすべてのＷｉ−Ｆｉ端末の移動性を管理するために、Ｗｉ−Ｆｉ移動性コントローラと呼ばれる、一般的に単一の集中型のスイッチを使用することから成る。すべてのＷｉ−Ｆｉトラフィックがそのスイッチを通り抜けるために、ネットワークのＷｉ−Ｆｉアクセス・ポイントのすべてをこのスイッチに接続する必要がある。このスイッチおよびその設置は高価である。
２）第２の既知の方法は、ＩＥＴＦ（インターネット技術特別調査委員会）によって標準化されたモバイル・インターネット・プロトコルと呼ばれるプロトコルを使用することから成る。それは、そのユーザに対してアクティブな接続および同じＩＰアドレスを維持しながら、ユーザがあるＩＰネットワークから他のＩＰネットワークに移動できることを意図するものである。ＩＰｖ４のその実装は、ＲＦＣ３３４４に記述されており、ＲＦＣ４７２１で更新されている。ＩＰｖ６の実装は、ＲＦＣ３７７５に規定されている。それは、各ネットワークに２つの特定のサーバを必要とする。そのパーマネント・アドレスが該当するネットワークに位置するモバイル端末に関する情報を保存する第１のエージェント（ホーム・エージェント）、およびそのパーマネント・アドレスが該当するネットワークとは異なるネットワークに位置するモバイル端末に関する情報を保存する第２のエージェント（外部エージェント）である。これらの２つのサーバは高価である。
【先行技術文献】
【特許文献】
【００１２】
【特許文献１】米国特許出願公開第２００８／０２５０１４２号
【特許文献２】米国特許出願第２０１０／２７９６８９号
【非特許文献】
【００１３】
【非特許文献１】ＩＥＥＥ８０２．１１標準
【非特許文献２】ＥＴＳ３００  １７５標準
【非特許文献３】ＥＴＳＩ  ＥＮ３００、１７５−３パート３
【非特許文献４】ＥＴＳＩ  ＥＮ３００、１７５−４パート４
【非特許文献５】ＥＴＳＩ  ＥＮ３００、１７５−５パート５
【非特許文献６】ＲＦＣ３３４４
【非特許文献７】ＲＦＣ４７２１
【非特許文献８】ＲＦＣ３７７５
【発明の概要】
【発明が解決しようとする課題】
【００１４】
本発明の目的は、Ｗｉ−Ｆｉ無線アクセス・ポイントを変更するための既知の方法、およびＤＥＣＴ無線アクセス・ポイントを変更するための既知の方法を使用するより安価な解決策を提案することである。
【課題を解決するための手段】
【００１５】
本発明の第１の目的は、ローカル・ネットワークに接続された端末およびデュアルモードＷｉ−Ｆｉ−ＤＥＣＴ無線アクセス・ポイントを含むＷｉ−Ｆｉ−ＤＥＣＴワイヤレス通信ネットワークにおいて端末に関連する無線アクセス・ポイントを変更する方法であって、第１のＷｉ−Ｆｉモード・リンクおよび第１のＤＥＣＴモード・リンクが、その端末と第１のデュアルモードＷｉ−Ｆｉ−ＤＥＣＴ無線アクセス・ポイントとの間で確立されている間に、端末に関連するデュアルモード無線アクセス・ポイントを変更するために、
−その第１のデュアルモードＷｉ−Ｆｉ−ＤＥＣＴアクセス・ポイントのＤＥＣＴ部分から、第２のデュアルモードＷｉ−Ｆｉ−ＤＥＣＴアクセス・ポイントのＤＥＣＴ部分に切り換えるために、第１のＤＥＣＴモード・リンクに対してその端末に関連する無線アクセス・ポイントの変更を決定および実行するための既知の方法を適用するステップと、
−それが第１のＤＥＣＴモード・リンクについてその端末に関連する無線アクセス・ポイントを、その第１のデュアルモードＷｉ−Ｆｉ−ＤＥＣＴアクセス・ポイントから、その第２のデュアルモードＷｉ−Ｆｉ−ＤＥＣＴアクセス・ポイントに変更することを決定した場合、その第１のデュアルモードＷｉ−Ｆｉ−ＤＥＣＴアクセス・ポイントのＷｉ−Ｆｉ部分から、その第２のデュアルモードＷｉ−Ｆｉ−ＤＥＣＴアクセス・ポイントのＷｉ−Ｆｉ部分に第１のＷｉ−Ｆｉモード・リンクを転送するステップと
を含む。
【００１６】
本発明の方法の実装は低価格である。その理由は、その方法は、ＤＥＣＴアクセス・ポイントを変更するために既存の制御手段、具体的には、ＤＥＣＴモードにおける通話の間にＤＥＣＴアクセス・ポイントの変更を指示するものを本質的に再使用するためである。
【００１７】
好ましい一実施形態によると、その端末のＷｉ−Ｆｉ部分が通信状態になく、その端末のＤＥＣＴ部分が通信状態にない間に、端末に関連する無線アクセス・ポイントを変更するために、方法は、
−他のＤＥＣＴアクセス・ポイントにその端末のＤＥＣＴ部分を関連させることを決定するために既知のローミング方法を適用するステップと、
−その第２のデュアルモードＷｉ−Ｆｉ−ＤＥＣＴアクセス・ポイントにその端末のＤＥＣＴ部分を関連させることが決定された場合に、その第２のデュアルモードＷｉ−Ｆｉ−ＤＥＣＴアクセス・ポイントにその端末のＷｉ−Ｆｉ部分を関連させることを決定するステップと
から成るステップを含む。
【００１８】
好ましい一実施形態によると、端末に関連する無線アクセス・ポイントを変更するために、その端末のＷｉ−Ｆｉ部分は通信しており、その端末のＤＥＣＴ部分は通信しており、第１のＤＥＣＴモード・リンクおよび第１のＷｉ−Ｆｉモード・リンクは、その端末と第１のデュアルモードＷｉ−Ｆｉ−ＤＥＣＴアクセス・ポイントとの間で確立されており、方法は、
−あるＤＥＣＴアクセス・ポイントからその第１のＤＥＣＴモード・リンクの他のＤＥＣＴアクセス・ポイントに、通信を転送するかどうかを決定するための既知の方法を適用するステップと
−その第１のデュアルモードＷｉ−Ｆｉ−ＤＥＣＴアクセス・ポイントから、その第２のデュアルモードＷｉ−Ｆｉ−ＤＥＣＴアクセス・ポイントに、第１のＤＥＣＴモード・リンクを転送することを決定した場合に、その第１のデュアルモードＷｉ−Ｆｉ−ＤＥＣＴアクセス・ポイントから、第２のデュアルモードＷｉ−Ｆｉ−ＤＥＣＴアクセス・ポイントに第１のＷｉ−Ｆｉモード・リンクを転送するステップと
から成るステップを含む。
【００１９】
好ましい一実施形態によると、その第１のデュアルモードＷｉ−Ｆｉ−ＤＥＣＴアクセス・ポイントから、その第２のデュアルモードＷｉ−Ｆｉ−ＤＥＣＴアクセス・ポイントに第１のＷｉ−Ｆｉモード・リンクを転送するために、方法は、
−第１のデュアルモードＷｉ−Ｆｉ−ＤＥＣＴアクセス・ポイントまで、それぞれＤＥＣＴモード・リンクおよびＷｉ−Ｆｉモード・リンクに結合された、固定された回線のネットワークで確立された、２つのリンクを維持するステップと
−固定された回線のネットワークにおいて第１のデュアルモードＷｉ−Ｆｉ−ＤＥＣＴアクセス・ポイントと第２のデュアルモードＷｉ−Ｆｉ−ＤＥＣＴアクセス・ポイントとの間に２つの新しいリンクをそれぞれ確立することによって、これらの２つのリンクを中継するステップと
から成るステップを含む。
【００２０】
好ましい一実施形態は、そのＷｉ−Ｆｉリンクが中断された場合に、Ｗｉ−Ｆｉデータ送信リンクを再び確立できるまで、Ｗｉ−Ｆｉデータ送信リンクをＤＥＣＴデータ送信リンクに置き換えるステップからさらに成る。
【００２１】
本発明の他の目的は、この方法を実装するためのデュアルモードＷｉ−Ｆｉ−ＤＥＣＴアクセス・ポイントである。
【００２２】
下記の記述および添付の図を用いることで、本発明はより良く理解され、他の特性は明白になるだろう。
【図面の簡単な説明】
【００２３】
【図１】本発明の方法の例示的な実施形態の第１段階を示す図である。
【図２】通信の間における、本発明の方法のこの例示的な実施形態の第２段階を示す図である。
【図３】本発明の方法のこの例示的な実施形態において、アプリケーション・サーバからモバイル端末へのデータ・シーケンスの送信の間にハンドオーバが実行される場合のシグナリング交換を示す図である。
【図４】本発明の方法のこの例示的な実施形態において、モバイル端末からアプリケーション・サーバへのデータ・シーケンスの送信の間にハンドオーバが実行される場合のシグナリング交換を示す図である。
【発明を実施するための形態】
【００２４】
Ｗｉ−Ｆｉ部分およびＤＥＣＴ部分が両方とも通信状態にないケースは、最も単純なケースであるが、個別の２つのケースを認識する必要がある。
１）各ロケーション・エリアが１つのＷｉ−Ｆｉ−ＤＥＣＴ無線アクセス・ポイントしか含まないように、無線アクセス・ポイント構成される。この場合、端末は、より良好なＤＥＣＴ無線リンクを可能にするアクセス・ポイントを検出するたびに、そのロケーション・エリアおよびそのアクセス・ポイントの両方を変更する。
端末は、より良好なＤＥＣＴ無線リンクを可能にする前記アクセス・ポイントが、新しいロケーション・エリアに属することを検出すると、ロケーション要求を自動的に作成する。端末がそのロケーション・エリアを変更すると、新しいアクセス・ポイントは、その端末に対して、外部ネットワークにアクセスする役割を果たすアクセス・ポイントの識別情報をネットワークに求め、その端末は、それによって、どのアクセス・ポイントが（両方向に）次の通信を中継できるかを認識する。
２）ロケーション・エリアが複数のＷｉ−Ｆｉ−ＤＥＣＴ無線アクセス・ポイントを含むように、無線アクセス・ポイントが構成される。この場合、端末は、より良好なＤＥＣＴ無線リンクを可能にするアクセス・ポイントを検出するたびに、必ずしもロケーション・エリアを変更しない。
端末の振る舞いは、この場合、ＤＥＣＴ端末の従来の振る舞いと比較して、変更される必要があるため、そのロケーション・エリアが実際に変更されていない場合でも、より良好なアクセス・ポイントを検出するたびに、ロケーション要求を作成する。端末がそのロケーション・エリアを変更すると、新しいアクセス・ポイントは、その端末の外部ネットワークへのアクセスとしての役割を果たすアクセス・ポイントの識別情報をネットワークに求める。この端末は、それによって、どのアクセス・ポイントが（両方向に）次の通信を中継できるかを認識する。
【００２５】
Ｗｉ−Ｆｉ部分およびＤＥＣＴ部分が両方とも通信状態にない場合、本発明の方法は、他のＤＥＣＴアクセス・ポイントにその端末のＤＥＣＴ部分を関連させることを決定するために既知のローミング方法を適用するステップと、その第２のデュアルモードＷｉ−Ｆｉ−ＤＥＣＴアクセス・ポイント（ＡＰ２）にその端末のＤＥＣＴ部分を関連させることが決定された場合に、その第２のデュアルモードＷｉ−Ｆｉ−ＤＥＣＴアクセス・ポイントにその端末のＷｉ−Ｆｉ部分を関連させることを決定するステップとから成る。
【００２６】
Ｗｉ−Ｆｉ部分およびＤＥＣＴ部分が両方とも通信状態にある状況は、より複雑である。
【００２７】
図１に描写した例示的な実施形態では、Ｗｉ−Ｆｉ−ＤＥＣＴタイプの企業通信ネットワークは、デュアルモードＷｉ−Ｆｉ−ＤＥＣＴタイプであるモバイル端末ＰＰ、ならびにデュアルモードＷｉ−Ｆｉ−ＤＥＣＴ無線アクセス・ポイントＡＰ１およびＡＰ２などの端末を含む。これらのアクセス・ポイントはすべて、描写していないイーサネット・ローカル・エリア・ネットワークに接続される。このローカル・ネットワークは、ローカル・エリア・ネットワークで使用されるプロトコルと、公衆電話網で使用されるプロトコルとの間の変換を保証するゲートウェイによって公衆電話網（描写せず）に従来の方法で接続される。さらに、このローカル・エリア・ネットワークは、他のゲートウェイによって、インターネット・ネットワーク（描写せず）にリンクされる。
【００２８】
これらのアクセス・ポイントＡＰ１およびＡＰ２はそれぞれ、ＤＥＣＴ無線インターフェース、Ｗｉ−Ｆｉ無線インターフェース、およびＩＰインターフェース（インターネット・プロトコルを使用して他のネットワークと通信するため）を含む。該当するときには、モバイル端末ＰＰのＤＥＣＴ部分は、ＤＥＣＴ無線リンク（ＤＬ１）によってアクセス・ポイントＡＰ１に接続される。ＤＥＣＴモードにおける電話通信は、モバイル端末ＰＰとリモート電話端末Ｔとの間で確立される。それは、ローカル・エリア・ネットワークおよび公衆電話網を通じて、ＤＥＣＴ無線リンクＤＬ１、アクセス・ポイントＡＰ１、および固定された回線の電話リンクＬＴによってサポートされる（通信は、また、モバイル端末と、公共の移動電話ネットワークを介して、または単に該当する端末の他の企業ネットワークに対して行うことができる）。
【００２９】
同時に、データ通信は、Ｗｉ−Ｆｉモードでは、モバイル端末ＰＰとアプリケーション・サーバＡＳとの間で確立される。この例では、それはイーサネット・ローカル・エリア・ネットワークを介して、およびインターネットを介して、Ｗｉ−Ｆｉ無線リンクＷＬ１、アクセス・ポイントＡＰ１、および固定されたデータ送信リンクＬＡによってサポートされている（他の例では、アプリケーション・サーバは、該当する企業ネットワークにある場合がある）。
【００３０】
これらの通信の間に、モバイル端末ＰＰは移動される。それはアクセス・ポイントのＡＰ１有効範囲エリアの端部に到着し、アクセス・ポイントのＡＰ２有効範囲エリアに入る。これら２つの領域は部分的に重複している。
【００３１】
図２は、本発明の方法のこの例示的な実施形態の第２段階を示している。該当するときには、モバイル端末ＰＰは、進行中の電話通信およびデータ通信をそのアクセス・ポイントＡＰ２に転送するようにアクセス・ポイントＡＰ２に依頼する。アクセス・ポイントＡＰ２は、ＤＥＣＴモードの電話通信に対して、あるＤＥＣＴアクセス・ポイントから他のＤＥＣＴアクセス・ポイントに転送するための既知の方法を適用する。アクセス・ポイントＡＰ２が、アクセス・ポイントＡＰ１からアクセス・ポイントＡＰ２に、ＤＥＣＴモードで電話通信を転送することを決定した場合、そのアクセス・ポイントＡＰ２は、また、アクセス・ポイントＡＰ１からポイントＡＰ２にデータ通信を転送することを決定する。そのために、以下を命令する。
−アクセス・ポイントＡＰ２に電話リンクＬＴを中継するために、アクセス・ポイントＡＰ１とＡＰ２との間にリンクＬＴ’を確立、
−アクセス・ポイントＡＰ２にデータ送信リンクＬＡを中継するために、アクセス・ポイントＡＰ１とＡＰ２との間にリンクＬＡ’を確立。
【００３２】
当然、リンクＬＴおよびＬＡが維持される。次に、アクセス・ポイントＡＰ１は、モバイル端末ＰＰにそれを接続したリンクＤＬ１およびＷＬ１が解放されるように命じる。
【００３３】
デュアルモード無線アクセス・ポイントの有効範囲は、ＤＥＣＴモードではＷｉ−Ｆｉモードと正確に同じではない。より高い送信電力のために、ＤＥＣＴモードにおいてそれはより強い。したがって、ときには、他のＤＥＣＴ−Ｗｉ−Ｆｉアクセス・ポイントへの転送が決定される前に、Ｗｉ−Ｆｉリンクを中断することができる。その理由は、それは受信されたＤＥＣＴ信号の品質に基づいて決定されるためである。この状態が発生した場合、本発明の方法の好ましい実施形態は、Ｗｉ−Ｆｉデータ送信リンクを再び確立できるまで、つまり転送がＤＥＣＴ電話リンクに対して決定されるときまで、Ｗｉ−Ｆｉデータ送信リンクＤＬ１をＤＥＣＴデータ送信リンクに置き換えるステップから成る。インターネット・プロトコルを使用して、トンネルを使ってＤＥＣＴリンクを通じてデータを送信することが知られている。利用可能な帯域幅は、そのとき、Ｗｉ−Ｆｉリンクを通じるよりもはるかに低い。しかし、これによりバックアップ・リンクが保証される。
【００３４】
ＤＥＣＴデータ送信リンクを通じたこのデータ送信は、また、送信されるデータが、ＤＥＣＴデータ送信リンクで利用可能なもの以下という低い帯域幅のみを必要とすることをアクセス・ポイントが検出したときに、アクティブ化することができる。これにより、特定のそのモバイル端末のＷｉ−Ｆｉ送受信装置の電力消費を減らすことが可能になる。
【００３５】
図３は、本発明の方法のこの例示的な実施形態において、アプリケーション・サーバＡＳからモバイル端末ＰＰへのデータ・シーケンスの送信の間にハンドオーバが実行される場合のシグナリング交換を示している。連続する動作は以下のとおりである。
２０１：アプリケーション・サーバＡＳは、固定された回線ＬＡを介してアクセス・ポイントＡＰ１にデータ・パケットを送信する。
２０２：アクセス・ポイントＡＰ１は、固定された回線ＬＡを介して、アプリケーション・サーバＡＳに、受信承認（ｒｅｃｅｉｐｔ−ａｃｋｎｏｗｌｅｄｇｅｄ）メッセージを送信する。
２０３：アクセス・ポイントＡＰ１は、Ｗｉ−Ｆｉデータ送信リンクＤＬ１を通じて、モバイル端末ＰＰにデータ・パケットを送信する。
２０４：モバイル端末ＰＰは、Ｗｉ−Ｆｉデータ送信リンクＷＬ１を通じて、アクセス・ポイントＡＰ１に受信承認メッセージを送信する。
２０５：モバイル端末ＰＰは、アクセス・ポイントＡＰ２へのＤＥＣＴリンクの転送が必要であることを検出する。それはＤＥＣＴリンクＤＬ２およびＷｉ−ＦｉリンクＷＬ２を確立し、ＤＥＣＴリンクＤＬ２を通じて、アクセス・ポイントＡＰ２にハンドオーバ要求メッセージを送信する。
２０６：アクセス・ポイントＡＰ２は、ＤＥＣＴリンクＤＬ２を通じて、モバイル端末ＰＰに転送確認（ｔｒａｎｓｆｅｒ  ｃｏｎｆｉｒｍａｔｉｏｎ）メッセージを送信する。
２０７：モバイル端末ＰＰは、ＤＥＣＴリンクＤＬ２を通じて、アクセス・ポイントＡＰ２に転送受け入れ（ｔｒａｎｓｆｅｒ  ａｃｃｅｐｔａｎｃｅ）メッセージを送信する。
２０８：アクセス・ポイントＡＰ１は、どのアクセス・ポイントが、現在転送を要求しているモバイル端末ＰＰとＤＥＣＴリンクにあるかを要求するために、ローカル・エリア・ネットワーク内で検索メッセージを送信する。
２０９：アクセス・ポイントＡＰ２は、アクセス・ポイントＡＰ１にそのＩＰアドレスを与えることによって、この要求に応える。
２１０：アクセス・ポイントＡＰ１は、ＤＥＣＴリンクＤＬ１を通じて、それがＤＥＣＴリンクＤＬ１を解放するであろうことを示すメッセージをモバイル端末ＰＰに送信する。
２１１：モバイル端末ＰＰは、ＤＥＣＴリンクＤＬ１を通じて、アクセス・ポイントＡＰ２に受信承認メッセージを送信する。次に、ＤＥＣＴリンクＤＬ１は、アクセス・ポイントＡＰ１によって解放される。
２１２：アプリケーション・サーバＡＳは、アクセス・ポイントＡＰ１に新しいデータ・パケットを送信する。
２１３：アクセス・ポイントＡＰ１は、アプリケーション・サーバＡＳに受信承認メッセージを送信する。
２１４：アクセス・ポイントＡＰ１は、アクセス・ポイントＡＰ２にデータ・パケットを再送信する。つまり、それはアクセス・ポイントＡＰ２に、ローカル・エリア・ネットワークを通じて、データ送信リンクＬＡ’を使用して、それを拡張することによって、データ送信リンクＬＡを中継する。
２１５：アクセス・ポイントＡＰ２は、アプリケーション・サーバＡＰ１に受信承認メッセージを送信する。
２１６：アクセス・ポイントＡＰ２は、Ｗｉ−Ｆｉデータ送信リンクＷＬ２を通じて、モバイル端末ＰＰにデータ・パケットを送信する。
２１７：モバイル端末ＰＰは、Ｗｉ−Ｆｉデータ送信リンクＷＬ２を通じて、アクセス・ポイントＡＰ２に受信確認（ｒｅｃｅｉｐｔ  ａｃｋｎｏｗｌｅｄｇｅｍｅｎｔ）メッセージを送信する。
【００３６】
ＤＨとして示している動作２０５から２１１は、従来のＤＥＣＴハンドオーバ動作によって構成されることに注意されたい。
【００３７】
図４は、本発明の方法のこの例示的な実施形態において、モバイル端末ＰＰからアプリケーション・サーバＡＳへのデータ・シーケンスの送信の間に、ハンドオーバが実行される場合のシグナリング交換を示す図である。連続する動作は以下のとおりである。
３０１：モバイル端末ＰＰは、Ｗｉ−Ｆｉデータ送信リンクＷＬ１を通じて、アクセス・ポイントＡＰ１にデータ・パケットを送信する。
３０２：アクセス・ポイントＡＰ１は、Ｗｉ−Ｆｉデータ送信リンクＷＬ１を通じて、モバイル端末ＰＰに受信承認メッセージを送信する。
３０３：アクセス・ポイントＡＰ１は、固定されたデータ送信リンクＬＡを介して、アプリケーション・サーバＡＳにデータ・パケットを再送信する。
３０４：アプリケーション・サーバＡＳは、固定された回線ＬＡを介して、アクセス・ポイントＡＰ１に受信承認メッセージを送信する。
３０５：モバイル端末ＰＰは、アクセス・ポイントＡＰ２へのＤＥＣＴリンクの転送が必要であることを検出する。それはＤＥＣＴリンクＤＬ２およびＷｉ−ＦｉリンクＷＬ２を確立し、ＤＥＣＴリンクＤＬ２を通じて、アクセス・ポイントＡＰ２にハンドオーバ要求メッセージを送信する。
３０６：アクセス・ポイントＡＰ２は、ＤＥＣＴリンクＤＬ２を通じて、モバイル端末ＰＰに転送確認メッセージを送信する。
３０７：モバイル端末ＰＰは、ＤＥＣＴリンクＤＬ２を通じて、アクセス・ポイントＡＰ２に転送受け入れメッセージを送信する。
３０８：アクセス・ポイントＡＰ１は、どのアクセス・ポイントが、現在転送を要求しているモバイル端末ＰＰとＤＥＣＴリンクにあるかを要求するために、ローカル・エリア・ネットワーク内で検索メッセージを送信する。
３０９：アクセス・ポイントＡＰ２は、アクセス・ポイントＡＰ１にそのＩＰアドレスを与えることによって、この要求に応える。
３１０：アクセス・ポイントＡＰ１は、ＤＥＣＴリンクＤＬ１を通じて、それがＤＥＣＴリンクＤＬ１を解放するであろうことを示すメッセージをモバイル端末ＰＰに送信する。
３１１：モバイル端末ＰＰは、ＤＥＣＴリンクＤＬ１を通じて、アクセス・ポイントＡＰ２に受信承認メッセージを送信する。次に、ＤＥＣＴリンクＤＬ１は、アクセス・ポイントＡＰ２によって解放される。
３１２：モバイル端末ＰＰは、Ｗｉ−ＦｉリンクＷＬ２を通じて、アクセス・ポイントＡＰ２に新しいデータ・パケットを送信する。
３１３：アクセス・ポイントＡＰ２は、Ｗｉ−ＦｉリンクＷＬ２を通じて、モバイル端末ＰＰに受信承認メッセージを送信する。
３１４：アクセス・ポイントＡＰ２は、アクセス・ポイントＡＰ１にデータ・パケットを再送信する。つまり、それはアクセス・ポイントＡＰ１に、データ送信リンクＬＡ’を使用して、それを拡張することによって、データ送信リンクＬＡを中継する。
３１５：アクセス・ポイントＡＰ１は、アプリケーション・サーバＡＰ２に受信承認メッセージを送信する。
３１６：アクセス・ポイントＡＰ１は、固定リンクＬＡを介してアプリケーション・サーバＡＳにデータ・パケットを送信する。
３１７：アプリケーション・サーバＡＳは、固定された回線ＬＡを介して、アクセス・ポイントＡＰ２に受信承認メッセージを送信する。
【００３８】
ＤＨとして示している動作３０５から３１１は、従来のＤＥＣＴハンドオーバ動作によって構成されることに注意されたい。
【図１】
0005947391.tif 000002
【図２】
0005947391.tif 000003
【図３】
0005947391.tif 000004
【図４】
0005947391.tif 000005